(57)【要約】【課題】テレビと連動可能な電気機器をテレビの動作に対応させて効果的に制御する技術を提供する。【解決手段】テレビシステム１は、液晶テレビ１０と、周辺機器８０と、コンテンツサーバ９２とを備える。液晶テレビ１０の周辺機器制御部４５は、周辺機器８０の動作を連動可能に制御する連動制御手段であって、設定制御部４０において設定された周辺機器８０との各種の連動制御を行い、通信部７０を介し周辺機器８０に対して所望の動作をさせる。【選択図】図２
2012010124.tif 000002
【特許請求の範囲】
【請求項１】
テレビと当該テレビと連動可能な電気機器とを備えたテレビシステムであって、
前記テレビは、
前記電気機器と通信を行うテレビ側通信手段と、
再生するコンテンツの進行に応じて前記電気機器を連動させるために前記電気機器に指令を出力するとともに、前記コンテンツの進行とは無関係に前記電気機器の動作設定を変更する指令を出力する連動制御手段と、
前記電気機器の動作設定をメニュー画面によって設定する設定制御手段と、
前記電気機器の動作状態を表示する状態表示手段と、
を備え、
前記電気機器は、
前記テレビと通信を行う機器側通信手段と、
前記テレビの前記連動制御手段の指令に基づき、電気機器本体の動作を制御する機器制御手段と、
を備えることを特徴とするテレビシステム。
【請求項２】
前記電気機器の前記機器制御手段は、前記テレビの動作とは無関係なトリガによって動作状態が遷移したときに、変更後の動作状態を前記テレビに通知することを特徴とする請求項１に記載のテレビシステム。
【請求項３】
前記テレビの前記連動制御手段は、前記コンテンツのジャンル情報及びシーン情報に基づいて、前記電気機器を連動させることを特徴とする請求項１または２に記載のテレビシステム。
【請求項４】
前記テレビの前記連動制御手段は、ネットワークに接続されたコンテンツサーバから、前記テレビで再生するコンテンツに関連づけられたタイミングチャートを取得し、前記コンテンツの再生にあわせて前記タイミングチャートに基づいて、前記電気機器の動作を制御することを特徴とする請求項１から３までのいずれかに記載のテレビシステム。
【請求項５】
前記電気機器として、照明機器を備え、
前記テレビの前記連動制御手段は、前記照明機器の出力の明るさ及び色を変更することを特徴とする請求項１から４までのいずれかに記載のテレビシステム。
【請求項６】
前記電気機器として、空調機器を備え、
前記テレビの前記連動制御手段は、前記空調機器の送風温度及び送風強さを変更することを特徴とする請求項１から５までのいずれかに記載のテレビシステム。
【請求項７】
前記電気機器として、電話機を備え、
前記テレビの前記連動制御手段は、前記電話機の着信時の動作を変更することを特徴とする請求項１から６までのいずれかに記載のテレビシステム。
【請求項８】
通信可能に接続される電気機器を連動可能に制御するテレビであって、
前記電気機器と通信を行うテレビ側通信手段と、
再生するコンテンツの進行に応じて前記電気機器を連動させるために前記電気機器に指令を出力するとともに、前記コンテンツの進行とは無関係に前記電気機器の動作設定を変更する指令を出力する連動制御手段と、
前記電気機器の動作設定をメニュー画面によって設定する設定制御手段と、
前記電気機器の動作状態を表示する状態表示手段と、
を備えることを特徴とするテレビ。
【発明の詳細な説明】
【技術分野】
【０００１】
本発明は、テレビ及びテレビシステムに係り、例えば、接続される電気機器を連動可能に制御するテレビ及びテレビと連動可能な電気機器とを備えたテレビシステムに関する。
【背景技術】
【０００２】
近年では液晶テレビ等の薄型テレビにはＬＡＮ（Local Area Network）等の通信手段が備わり、テレビとレコーダとの連動のような単なるＡＶ機器等の連動に留まらず、ネットワークを介した外部装置との通信が可能になっている。
【０００３】
外部装置との連携技術については、例えば、テレビの映像信号と共に受信される付加データ（ＥＰＧ用データ等）から、番組情報を取得し、番組内容に合わせて周辺の照明を制御する方法がある（例えば、特許文献１参照）。この特許文献１に開示の技術では、上記付加データとしてメタデータが使用されており、テレビがメタデータの記述を参照して、ジャンル情報等に応じて、照明を制御している。
【先行技術文献】
【特許文献】
【０００４】
【特許文献１】特開２００５−５３１９０９号公報
【発明の概要】
【発明が解決しようとする課題】
【０００５】
ところで、特許文献１に開示の技術は、番組情報のジャンル（映画、スポーツ等）情報を元に制御しているのみで、実際の効果としては不十分であったり、テレビの機能を十分に活用できていなかったりした。そのため、テレビと連動可能な機器をテレビの動作に対応させて効果的に制御する別の技術が求められていた。
【０００６】
本発明の目的は、上記課題に鑑み、テレビと連動可能な電気機器をテレビの動作に対応させて効果的に制御する技術を提供することにある。
【課題を解決するための手段】
【０００７】
本発明に係る装置は、テレビと当該テレビと連動可能な電気機器とを備えたテレビシステムであって、前記テレビは、前記電気機器と通信を行うテレビ側通信手段と、再生するコンテンツの進行に応じて前記電気機器を連動させるために前記電気機器に指令を出力するとともに、前記コンテンツの進行とは無関係に前記電気機器の動作設定を変更する指令を出力する連動制御手段と、前記電気機器の動作設定をメニュー画面によって設定する設定制御手段と、前記電気機器の動作状態を表示する状態表示手段と、を備え、前記電気機器は、前記テレビと通信を行う機器側通信手段と、前記テレビの前記連動制御手段の指令に基づき、電気機器本体の動作を制御する機器制御手段と、を備える。
また、前記電気機器の前記機器制御手段は、前記テレビの動作とは無関係なトリガによって動作状態が遷移したときに、変更後の動作状態を前記テレビに通知してもよい。
また、前記テレビの前記連動制御手段は、前記コンテンツのジャンル情報及びシーン情報に基づいて、前記電気機器を連動させてもよい。
また、前記テレビの前記連動制御手段は、ネットワークに接続されたコンテンツサーバから、前記テレビで再生するコンテンツに関連づけられたタイミングチャートを取得し、前記コンテンツの再生にあわせて前記タイミングチャートに基づいて、前記電気機器の動作を制御してもよい。
また、前記電気機器として、照明機器を備え、前記テレビの前記連動制御手段は、前記照明機器の出力の明るさ及び色を変更してもよい。
また、前記電気機器として、空調機器を備え、前記テレビの前記連動制御手段は、前記空調機器の送風温度及び送風強さを変更してもよい。
また、前記電気機器として、電話機を備え、前記テレビの前記連動制御手段は、前記電話機の着信時の動作を変更してもよい。
本発明に係る別の装置はテレビに関する。このテレビは、通信可能に接続される電気機器を連動可能に制御するテレビであって、前記電気機器と通信を行うテレビ側通信手段と、再生するコンテンツの進行に応じて前記電気機器を連動させるために前記電気機器に指令を出力するとともに、前記コンテンツの進行とは無関係に前記電気機器の動作設定を変更する指令を出力する連動制御手段と、前記電気機器の動作設定をメニュー画面によって設定する設定制御手段と、前記電気機器の動作状態を表示する状態表示手段と、を備える。
【発明の効果】
【０００８】
本発明によれば、テレビと連動可能な電気機器をテレビの動作に対応させて効果的に制御する技術を提供することができる。
【図面の簡単な説明】
【０００９】
【図１】本発明の実施形態に係る、本実施形態に係るテレビシステムを示した図である。
【図２】本発明の実施形態に係る、液晶テレビの構成を示した機能ブロック図である。
【図３】本発明の実施形態に係る、通信部、当該通信部によって通信接続される周辺機器及びコンテンツサーバを示した図である。
【図４】本発明の実施形態に係る、エアコンの機能ブロック図である。
【図５】本発明の実施形態に係る、照明装置の機能ブロック図である。
【図６】本発明の実施形態に係る、設定画面の一例を示した図である。
【図７】本発明の実施形態に係る、周辺機器の設定可能内容の一覧について、「連動効果」の項目に着目して示した図である。
【図８】本発明の実施形態に係る、エアコンについて設定する際の画面の例を示した図である。
【図９】本発明の実施形態に係る、エアコンについて設定可能な内容の詳細を示した図である。
【図１０】本発明の実施形態に係る、電話機について設定可能な内容の詳細を示した図である。
【図１１】本発明の実施形態に係る、照明装置について設定可能な内容の詳細を示した図である。
【図１２】本発明の実施形態に係る、の詳細を示した図である。
【発明を実施するための形態】
【００１０】
以下、本発明を実施する形態（以下、単に「実施形態」という）を図面を参照して説明する。本実施形態の概要は、まず、テレビのメニュー機能に、周辺機器を設定するメニューを追加する。メニューには、照明、電話、エアコン、空気清浄機、掃除機の各種機能を制御できるインターフェイスを備える。この機能は、テレビのメニュー（例えば、画質機能やタイマ）に連動させて各種機能を設定させるか、もしくは独立させて使用することで、ユーザの希望する視聴環境を作りあげることが可能となる。また、インターネット等のネットワーク回線を通じ、番組もしくは記憶媒体に入っている映像コンテンツのシーンごとの情報を入手し、ＴＶ側が情報を処理し、周辺機器を操作する。以下、詳細に説明する。
【００１１】
図１は、本実施形態に係るテレビシステム１を示す図である。テレビシステム１は、液晶テレビ１０と、周辺機器８０と、コンテンツサーバ９２とを備えている。液晶テレビ１０は、電力線９１を介して周辺機器８０と通信可能となっている。また、液晶テレビ１０は、インターネット等のネットワーク９０を介してコンテンツサーバ９２と通信可能に接続されている。ここで周辺機器８０の例として、図３で後述するように、エアコン１００、電話（携帯）２００、空気清浄機３００、照明装置４００及び掃除機５００が接続されている。
【００１２】
図２は、液晶テレビ１０の構成を示す機能ブロック図である。液晶テレビ１０は、図示のように、液晶テレビ１０の各構成要素を統括的に制御する主制御部１５と、作業エリアや記憶エリアとして機能するメモリ１６とを備えている。さらに、液晶テレビ１０は、チューナ２１と外部入力部２２とを備えるソース部２０と、ソース部２０のソース選択を行うセレクタ２５と、信号処理部３５と、表示出力部５０とを備える。チューナ２１は、例えば、地上デジタル放送用のチューナである。また、外部入力部２２は、外部機器であるＢＤレコーダ等とＨＤＭＩ規格に基づいて連動可能に接続されている。なお、図示しないが、ソース部２０は内蔵レコーダを備えてもよい。
【００１３】
信号処理部３５は、セレクタ２５を介してソース部２０から取得した映像信号や音声信号を所望の信号フォーマットに変換する。より具体的には、信号処理部３５は、映像信号の処理を行い表示出力部５０に出力する映像信号処理手段（図示せず）と、音声信号の処理を行いスピーカに出力する音声信号処理手段（図示せず）とを備える。なお、映像信号処理手段は、メニュー表示などのＯＳＤ（On Screen Display）処理のためのデータを主制御部１５から取得して、表示出力部５０へ出力する機能も備えている。
【００１４】
表示出力部５０は、一般的な液晶表示手段として、表示パネル５２と、ＬＣＤコントローラ５１とを備える。なお、電源回路や、ユーザの操作手段であるリモコン、操作パネル等については図示を省略している。
【００１５】
液晶テレビ１０は、さらに、センサ部６０と、通信部７０と、設定制御部４０と、周辺機器制御部４５とを備えている。センサ部６０は、人感センサやＣＣＤセンサ等である。センサ部６０のセンシング結果に基づいて省電力制御等がなされる。
【００１６】
設定制御部４０は、液晶テレビ１０の各種設定を制御する。具体的には、ユーザがリモコン等を操作して所定のメニュー画面を表示させ、明るさや色合い、外部機器との接続設定等を行う際に、設定制御部４０がメニュー画面の表示制御や、設定項目の取得、記憶及び反映を行う。なお、この処理は、信号処理部３５のＯＳＤ処理機能と協働によりなされる。詳細は後述するが、設定制御部４０が周辺機器８０との連動制御の設定を制御する。
【００１７】
また、設定制御部４０は、ユーザによる設定を設定データとして所定の記憶領域に記憶する。さらに、設定制御部４０は、周辺機器８０を連動して制御する場合、その制御に用いるための設定データをメモリ１６に記憶する。つまり、設定画面においてユーザが設定した周辺機器８０との連動制御設定（設定データ）が記録される。
【００１８】
周辺機器制御部４５は、周辺機器８０の動作を連動可能に制御する連動制御手段であって、設定制御部４０において設定された周辺機器８０との各種の連動制御を行い、通信部７０を介し周辺機器８０に対して所望の動作をさせる。
【００１９】
図３に、通信部７０、当該通信部７０によって通信接続される周辺機器８０及びコンテンツサーバ９２を示している。
【００２０】
通信部７０は、通信データ処理部７１と、電力線モデム７２と、ＬＡＮ部７３とを備える。ＬＡＮ部７３は、ＬＡＮ等のネットワーク９０に接続して通信を行う。電力線モデム７２は、ＰＬＣを行うためのアダプタである。具体的には、電力線モデム７２は、ＰＬＣの所定の規格による通信のために、送信するデータに対して所定の符号化処理や圧縮処理を行い、通信データを生成し、その通信データを電力線９１に重畳させる。また、電力線モデム７２は、電力線９１に重畳されて送信されてきた所定のＰＬＣ規格の通信データを復号処理及び解凍処理して、テレビ１０内で利用可能な形式の信号に変換する。通信データ処理部７１は、電力線モデム７２又はＬＡＮ部７３を介した通信の為のデータを生成したり、取得したデータを液晶テレビ１０における処理のためのデータ形式に変換したりする。なお、ここでは、液晶テレビ１０と周辺機器８０の接続手段としてＰＬＣを例示するが、ブルートゥース（登録商標）等の通信手段が用いられてもよい。また、機器同士の認証処理は、各規格で定められている一般的な処理によってなされる。
【００２１】
コンテンツサーバ９２は、コンテンツに関する周辺機器制御データを液晶テレビ１０に提供可能に構成されている。ここでは、コンテンツサーバ９２は、データ要求制御部９３と、認証部９４及びデータ部９５とを備えている。データ部９５は、液晶テレビ１０で再生等されるコンテンツの進行に合わせて周辺機器８０を制御するためのデータ（図１２で後述）を備えている。認証部９４は、データを要求してきた液晶テレビ１０の認証処理を行う。データ要求制御部９３は、認証部９４での認証処理や、データ部９５でのデータの入出力処理等を統括的に制御したり、液晶テレビ１０との通信処理を行う。
【００２２】
次に、周辺機器８０について説明する。液晶テレビ１０に接続される周辺機器８０は、上述にしたように、エアコン１００、電話（携帯）２００、空気清浄機３００、照明装置４００及び掃除機５００である。
【００２３】
ここで、周辺機器８０の例としてエアコン１００と照明装置４００を示す。図４にエアコン１００の機能ブロック図を示し、さらに、図５に照明装置４００の機能ブロック図を示す。
【００２４】
エアコン１００は、図４に示すように、一般的な機能を実現するエアコン本体１０１と、液晶テレビ１０と通信する機能である通信制御部１０２とを備える。通信制御部１０２は、電力線モデム１０３を備え、電力線９１を介して液晶テレビ１０と通信を行う。この電力線モデム１０３は、液晶テレビ１０の電力線モデム７２と同様の機能を有している。そして、通信制御部１０２は、電力線モデム１０３によって液晶テレビ１０からの指示を取得すると、その指示をエアコン本体１０１に通知する。エアコン本体１０１では、その指示に従って駆動制御を行う。例えば、冷風や温風を送出する駆動がなされたり、送出の停止がなされたりする。また、通信制御部１０２は、エアコン本体１０１の動作状態が遷移した場合に、その旨を液晶テレビ１０に通知する。動作状態の遷移は、液晶テレビ１０の指令に基づく場合と、それ以外のトリガに基づく場合の両方がある。したがって、例えば、エアコン本体１０１に通常動作として設定された制御温度に変更があった場合に、その旨を通知したり、エアコン本体１０１が検知した室内の温度を液晶テレビ１０に通知したりする。
【００２５】
照明装置４００は、図５に示すように、一般的な機能を実現す照明装置本体４０１と、液晶テレビ１０と通信する機能である通信制御部４０２とを備える。照明装置本体４０１は、例えばＲＧＢそれぞれの色に対応したＬＥＤを備えるＬＥＤ部４０５と、その駆動制御手段であるＬＥＤ駆動制御部４０６とを備える。また、上述と同様に、通信制御部４０２は、電力線モデム４０３を備え、電力線９１を介して液晶テレビ１０と通信を行う。この電力線モデム４０３は、液晶テレビ１０やエアコン１００の電力線モデム７２、１０３と同様の機能を有している。そして、通信制御部４０２は、電力線モデム４０３によって液晶テレビ１０からの指示を取得すると、その指示をＬＥＤ駆動制御部４０６に通知する。通信制御部４０２では、その指示に従って駆動制御を行う。例えば、ＬＥＤ部４０５の明るさを調整したり、点滅させたり、色を変えたり、それらの変更等を徐々に反映させたりする。
【００２６】
つぎに、図６をもとに、周辺機器８０の制御設定の例を説明する。図６は、設定画面Ａ０の一例を示している。
【００２７】
ユーザがリモコンの操作等することで設定画面Ａ０の表示選択がなされると、設定制御部４０は、図示のような設定画面Ａ０を表示出力部５０の表示パネル５２にＯＳＤ表示する。具体的には、設定画面Ａ０の上端の領域には、帯状の領域「大項目」Ａ１０が設けられ、「大項目」Ａ１０は、「設定」、「ツール」、「リンク操作」、「リンク予約」、「番組表」、「チャンネル」の項目領域が選択可能に設けられている。図示では、「設定」が選択され、選択されている旨が強調表示（反転表示）されている。
【００２８】
「大項目」Ａ１０の下側の領域には、設定可能な項目が階層的に表示されるようになっている。具体的には、まず画面左側には、「中項目」Ａ２０として、どのような項目が設定可能であるかが選択可能に表示されている。ここでは、一番上の項目「ＡＶポジション」から一番下の項目「室内機器設定」まで、１３種類の項目が選択可能に表示されている。図示の例では、ユーザによって、一番下の項目「室内機器設定」が選択され、選択されている旨が強調表示（反転表示）されている。
【００２９】
さらに、「中項目」Ａ２０の右側の「小項目」Ａ３０には、「中項目」Ａ２０で選択されている「室内機器設定」について、設定によって連動可能となる機器が表示されている。ここでは、上から順に「エアコン（１００）」「電話（２００）」「空気清浄機（３００）」「照明装置（４００）」「掃除機（５００）」の項目が選択可能に表示されている。そして、上から４番目の「照明装置（４００）」が選択され、選択されている旨が強調表示（反転表示）されている。
【００３０】
そして、「小項目」Ａ３０のさらに右側には、「小項目」Ａ３０で選択された機器の設定項目が表示されている「個別設定項目」Ａ４０が、選択可能に表示されている。ここでは、一番上の項目「明るさ設定（調光）」から一番下の項目「連動効果」まで、６種類の設定項目が選択可能に表示されている。図示の例では、上から２番目の「色調」が選択され、選択されている旨が強調表示（反転表示）されている。
【００３１】
そして、一番右側の領域Ａ５０には、色調を調整する設定バーが操作可能に表示されている。ユーザは、リモコン等を操作して、設定バーを動かすことで、一番明るい昼白色から一番下の電球色までの間で、７段階で所望に調整することができる。ここでは、上から３番目の色調が選択されている。
【００３２】
図７に、周辺機器８０の各構成装置（１００、２００、３００、４００、５００）の設定可能内容の一覧について、それぞれの「連動効果」の項目で設定可能な内容を示している。
【００３３】
まず、エアコン１００について説明する。図８は、エアコン１００について設定する際の画面Ａ０の例を示している。ここでは、「中項目」Ａ２０で「室内機器設定」が、「小項目」Ａ３０で「エアコン」が、「個別設定項目」Ａ４０で「ＯＮ／ＯＦＦ設定」の「送風効果」が選択され、設定中となっている。
【００３４】
図９を参照して、エアコン１００について設定可能な内容の詳細を説明する。ここでは、選択されたＡＶポジションに応じた設定が可能となっている「ＯＮ／ＯＦＦ設定」と、コンテンツ情報に連動する設定が可能となっている「連動効果」がある。
【００３５】
まず、「ＯＮ／ＯＦＦ設定」について説明する。「ＯＮ／ＯＦＦ設定」では、「温度効果」「送風効果」「風向効果」「静音モード」「その他」の５項目について設定可能である。なお、ＡＶポジションとして、「標準」「映画」「ゲーム」「ＡＶメモリ」「ダイナミック」等がある。「標準」は、画質・音質の設定が、すべて標準値になるモード（ポジション）である。「映画」は、コントラスト感を抑えることにより、暗い映像を見やすくするモードである。「ゲーム」は、テレビゲームなどの映像を、明るさを抑えて目にやさしい映像にするモードである。「ＡＶメモリ」は、入力ごとにユーザの好みの調整内容を記憶させることができるモードである。「ダイナミック」は、くっきりと色鮮やかな映像で、スポーツ番組などを迫力あふれたものにするモードである。
【００３６】
「温度効果」では、エアコン１００の制御温度を＋３℃〜−３℃で設定することができる。つまり、エアコン１００が「２５℃」の制御温度で稼働しており、図８のＡ４０の様に「温度効果」で「＋１℃」が設定されている場合、エアコン１００の制御温度は「２６℃」となる。
【００３７】
「送風効果」では、エアコン１００の送風の強さを＋１ステップで変更する設定ができる。「−１」が設定されていれば、エアコンの送風強さを１ステップ下げて制御されることになる。
【００３８】
「風向効果」では、エアコン１００の送風方向を、センサ部６０の検知結果に基づき、人が存在していると判断した場所に、送風方向を調整する設定ができる。
【００３９】
「静音モード」では、エアコン１００を静音モードで駆動するように設定することができる。
【００４０】
つづいて、「連動効果」について説明する。「連動効果」では、「ジャンル」及び「シーン」の２項目について設定可能である。
【００４１】
「ジャンル」の項目では、コンテンツのジャンル情報に基づいて、エアコン１００の温度・送風・風向き等の効果を組み合わせた設定変更が可能となっている。例えば、コンテンツのジャンルが「バラエティ番組」であれば、エアコン１００の設定は変更されない。また、ジャンルが「ホラー映画番組」であれば、エアコン１００の設定は、温度効果−１℃、送風効果＋１と設定変更する。
【００４２】
「シーン」の項目では、（１）シーン毎の情報に含まれるキーワード数でカテゴリ分類され、エアコン１００を連動させる設定と、（２）外部データに連動させる設定ができる。カテゴリ分類でエアコン１００を連動させる設定では、例えば、映画のコンテンツで、カテゴリ分類で「恐怖シーン」と判断された場合、風向効果が「オン」、送風効果が「＋１」とする。このような設定変更を行うことで、シーンに応じた視聴効果を提供することができる。
【００４３】
外部データに連動させる設定では、コンテンツサーバ９２から後述の図１２に示すような周辺機器８０の制御用のタイムチャートを取得して効果を反映させる設定を行うことができる。
【００４４】
次に、図１０をもとに電話機２００について設定可能な内容の詳細を説明する。ここでは、「１．呼出音設定条件」、「２．電話呼出自動設定」及び「３．ＴＶ動作設定」について設定可能となっている。つまり、液晶テレビ１０からの指令とは異なるトリガによって、動作状態が着信状態に遷移したときの動作設定が可能である。
【００４５】
「１．呼出音設定条件」では、例えば、外部からの着信の条件とし「番号通知あり」「番号非通知」「登録済みの発信者番号」「未登録の発信者番号」の４条件のそれぞれについて、「呼出音量減」「呼出音量切り且つバイブ駆動」「呼出音量切り且つ他の子機転送」「呼出音量切り且つ留守電対応」「呼出音量回数設定」の５項目を設定することができる。
【００４６】
「２．電話呼出自動設定」では、（１）コンテンツ情報に連動させた設定と、（２）ＴＶに設定されているカレンダー／時間情報に連動させた設定の２種類について、設定することができる。（１）コンテンツ情報に連動させた設定では、さらにコンテンツ情報に基づいて設定と、シーン情報に基づいた設定と、時間に基づいた設定が可能となっている。ジャンル情報に基づく設定では、電話機２００の呼出音設定条件と呼出音効果とを組み合わせて設定できる。シーン情報に基づいた設定では、コンテンツのチャプタ情報やシーン情報に基づいた設定や、コンテンツサーバ９２の制御用のタイムチャートに基づいた設定が可能となっている。時間に基づいた設定では、開始／終了時刻に合わせ、「呼出音設定条件」と「呼出音効果」とを組み合わせて設定可能となっている。例えば、開始時には、「呼出音量減」として、開始から所定時間経過後に「バイブレーション」とし、さらに終了間近やハイライトシーンのタイミングで「呼出音切り且つ留守録対応」と言った設定をすることができる。
【００４７】
「３．ＴＶ動作設定」では、電話機２００の通話中には、通話中に液晶テレビ１０の音量を下げたり、呼び出し時に発信者情報を液晶テレビ１０に表示したりする設定をすることができる。この場合は、電話機２００は、液晶テレビ１０に対して、発信者情報等を液晶テレビ１０に通知する。
【００４８】
次に、図１１をもとに照明装置４００について設定可能な内容の詳細を説明する。
ここでは、「１．コンテンツ情報に連想した設定」と「２．テレビに設定されているカレンダー／時間情報に連動した設定」について設定可能となっている。
【００４９】
「１．コンテンツ情報に連想した設定」では、「ジャンル」「シーン」「音」「時間」の４項目について設定することができる。
【００５０】
「ジャンル」の項目では、コンテンツのジャンル情報に基づいて、照明装置４００の明るさや色温度等を設定変更が可能となっている。例えば、バラエティ番組やアクション映画のコンテンツでは白昼色（色温度高）、恋愛映画では電球色（色温度低）とする。
【００５１】
「シーン」の項目では、（１）シーン毎の情報に含まれるキーワード数でカテゴリ分類され、照明装置４００を連動させる設定と、（２）外部データに連動させる設定ができる。カテゴリ分類で照明装置４００を連動させる設定では、例えば、映画のコンテンツで、カテゴリ分類で「恐怖シーン」と判断された場合、明るさ（調光）を３段階下げる。また、恋愛シーンと判断された場合、赤色が強調されたあだっぽい色に調整する。光源にＥＧＢのＬＥＤを用いている場合には、色の調整の自由度が高く、さまざまな効果を加えることができる。
【００５２】
「音」の項目では、コンテンツの音声に基づいて音量や強調する周波数帯域を設定することできる。例えば、会話部分であると判断した場合には、人の声の周波数帯域を強調するようにする。
【００５３】
「時間」の項目では、コンテンツの再生時間に基づく設定をすることができる。例えば、コンテンツが映画の場合、映画の終了時刻にあわせて元の状態、つまり開始前の状態に戻す設定をする。その際に、エンディングロールに合わせて変更することもできる。
【００５４】
「２．テレビに設定されているカレンダー／時間情報に連動した設定」では、「季節・時刻」に基づく設定や、「タイマ」に基づく設定を行うことができる。例えば、「季節・時刻」では、季節の変化に伴う日没等に時刻や、周囲環境の明るさ等の反映させ設定を行うことができる。より具体的には、夏であれば、日没の時刻が遅かったり、日没後でも比較的明るい状態が続くことから、そのような環境にあわせた明るさ（調光）を変更する設定が可能となる。この設定は、コンテンツ等に連動するものではなく、液晶テレビ１０のカレンダー機能に基づいたり、センサ部６０による明るさ検知に基づいたりする。また、「タイマ」では、例えばスリープタイマにオフ時間にあわせて徐々に照明装置４００の明るさを暗くする設定にすることができる。
【００５５】
つづいて、図１２を参照して、コンテンツサーバ９２からコンテンツに対応したタイミングチャートを取得して周辺機器８０を制御するケースについて説明する。
【００５６】
主制御部１５が信号処理部３５の処理の結果、コンテンツの情報を取得すると、周辺機器制御部４５は、通信部７０を介して、そのコンテンツの情報に関連づけられたタイムチャートをコンテンツサーバ９２に要求する。コンテンツサーバ９２では、認証部９４がタイムチャートを要求してきた液晶テレビ１０について認証処理を行い、タイムチャートを提供してよい相手であるか否かを確認する。この認証処理は、ユーザ登録の有無をもとに判断してもよいし、また、液晶テレビ１０の機能が対応可能であるか否かをもとに判断してもよい。
【００５７】
コンテンツサーバ９２の認証部９４で認証された場合、データ要求制御部９３は要求されたタイムチャートがデータ部９５に蓄積されているか否かを判断する。蓄積されていれば、要求されたタイムチャートを液晶テレビ１０に送信する。蓄積されていない場合は、その旨を液晶テレビ１０に返答する。
【００５８】
タイムチャートには、連動可能な周辺機器８０とそれぞれの制御情報が含まれている。ここでは、エアコン１００と照明装置４００の制御情報が含まれている。図に示すような、タイミングチャートを取得した液晶テレビ１０では、周辺機器制御部４５が、そのタイミングチャートに応じた周辺機器８０の制御を行う。
【００５９】
まず、第１時刻ｔ１〜第４時刻ｔ４の制御について説明する。ここでは、恐怖シーンに効果的な制御を行う。第１時刻ｔ１になると、周辺機器制御部４５は、照明装置４００に対して点滅駆動するように指令を出力し、さらに、エアコン１００に対して冷風を出力するように指令を出力する。なお、エアコン１００が稼働中であれば、温度を１℃下げる指令が出力される。
【００６０】
第２時刻ｔ２になると、周辺機器制御部４５は照明装置４００に対して明るさを３段階下げる指令を出力する。第３時刻ｔ３になると、周辺機器制御部４５は、エアコン１００に対して、冷風の出力を停止するように指令を出力し、さらに、照明装置４００に対して、第４時間ｔ４まで徐々に明るさを元に戻す指令を出力する。
【００６１】
つづいて、第５時刻ｔ５〜第８時刻ｔ８の制御について説明する。ここでは、恋愛シーンに効果的な制御を行う。まず、第５時刻ｔ５となると周辺機器制御部４５は、エアコン１００に対して温風の送風を開始するように指令を出力する。同時に、周辺機器制御部４５は、照明装置４００に対して、明るさを第６時刻ｔ６に設定される色調に徐々に遷移するように出力する。つぎに、第６時刻ｔ６になると、周辺機器制御部４５は、第７時刻ｔ７まで照明装置４００に対して色調が「赤（Ｒ）」となるように指令を出力する。そして第７時刻ｔ７になると、周辺機器制御部４５は、照明装置４００に対して徐々もとの照明状態に戻すように指令を出力する。また、第８時刻ｔ８になると、周辺機器制御部４５は、エアコン１００に対して温風の出力を停止するように指示する。
【００６２】
最後に、第９時刻ｔ９〜第１０時刻ｔ１０では、周辺機器制御部４５は、コンテンツのエンディングにあわせて、エアコン１００に対して送風を行うように指令を出力する。
【００６３】
以上、本実施形態によると、液晶テレビ１０に備わっている機能に付随させてエアコン１００や照明装置４００等の周辺機器８０を制御することができる。また、番組のジャンルだけでなく、番組中のシーンごとに合わせた制御についても、よりきめ細やかに、さらに新たな効果を得ることができる制御が実現できる。また、ユーザは、コンテンツの視聴中に、周辺機器８０の動作状態が遷移した場合であっても、コンテンツの視聴がじゃまされない。
【００６４】
以上、本発明を実施形態をもとに説明した。この実施形態は例示であり、それらの各構成要素や各処理プロセスの組み合わせにいろいろな変形例が可能なこと、またそうした変形例も本発明の範囲にあることは当業者に理解されるところである。
【符号の説明】
【００６５】
１  テレビシステム
１０  液晶テレビ
４０  設定制御部
４５  周辺機器制御部
６０  センサ部
７０  通信部
７２、１０３、４０３  電力線モデム
８０  周辺機器
９０  ネットワーク
９２  コンテンツサーバ
９３  データ要求制御部
９４  認証部
９５  データ部
１００  エアコン
１０２、４０２  通信制御部
２００  電話機
３００  空気清浄機
４００  照明装置
５００  掃除機
【図１】
2012010124.tif 000003
【図２】
2012010124.tif 000004
【図３】
2012010124.tif 000005
【図４】
2012010124.tif 000006
【図５】
2012010124.tif 000007
【図６】
2012010124.tif 000008
【図７】
2012010124.tif 000009
【図８】
2012010124.tif 000010
【図９】
2012010124.tif 000011
【図１０】
2012010124.tif 000012
【図１１】
2012010124.tif 000013
【図１２】
2012010124.tif 000014